(57)【要約】【課題】コネクタの内部を含めてツイストペア線の特性インピーダンスの低減を図るハーネスを提供する。【解決手段】ハーネスは、２本の電線２１，２１が撚り合わされたツイストペア線と、該ツイストペア線の端部に接続されたコネクタ３とを備える。ツイストペア線は、前記２本の電線２１，２１の端部を撚り戻し、夫々の端部に取り付けた端子を前記コネクタ３に設けた端子収容室３２，３２に固定してある。ハーネスは、ツイストペア線の撚り戻し部分Ｕを、２本の電線２１，２１を近接させて保持する保持部材４を備える。保持部材４は、端子収容室３２，３２に嵌め込まれ、端子収容室３２，３２内の２本の電線２１，２１を互いに近接する位置に拘束する拘束部を備える。【選択図】図２
2015216015.tif 000002
【特許請求の範囲】
【請求項１】
２本の電線が撚り合わされたツイストペア線と、該ツイストペア線の端部に接続されたコネクタとを備え、前記ツイストペア線は、前記２本の電線の端部を撚り戻し、夫々の端部に取り付けた端子を前記コネクタに設けた端子収容室に固定してあるハーネスにおいて、
前記ツイストペア線の撚り戻し部分を、前記２本の電線を近接させて保持する保持部材を備え、
該保持部材は、前記端子収容室に嵌め込まれ、該端子収容室内の２本の電線を互いに近接する位置に拘束する拘束部を備えることを特徴とするハーネス。
【請求項２】
前記端子は、仕切壁を介して相隣する２つの端子収容室に各別に固定してあり、
前記拘束部は、２つの端子収容室内の電線を前記仕切壁との間での挟持により拘束することを特徴とする請求項１に記載のハーネス。
【請求項３】
前記保持部材は、前記２つの端子収容室夫々に嵌め込まれ、夫々の端子収容室内の電線を前記仕切壁の一端側に拘束する第２拘束部を備えることを特徴とする請求項２に記載のハーネス。
【請求項４】
前記拘束部は、前記２つの端子収容室内で前記仕切壁に対向する２つの側板であることを特徴とする請求項２に記載のハーネス。
【請求項５】
前記２つの側板は先細りになっていることを特徴とする請求項４に記載のハーネス。
【請求項６】
前記第２拘束部は、前記２つの側板の対向面から内向きに延設されていることを特徴とする請求項４又は請求項５に記載のハーネス。
【請求項７】
前記第２拘束部は先端が基端より薄いことを特徴とする請求項６に記載のハーネス。
【請求項８】
前記保持部材は、前記２本の電線の夫々に接続された端子を一端側に並べて収納する内部空間、及び前記２本の電線を前記内部空間の他端側から導出させる導出孔を備え、
前記拘束部は、前記２本の電線を囲んで形成され、前記内部空間の他端側を前記導出孔に近いほど狭くするようにしてあることを特徴とする請求項１に記載のハーネス。
【請求項９】
前記保持部材は、弾性材料製であることを特徴とする請求項１から請求項８のいずれか一つに記載のハーネス。
【発明の詳細な説明】
【技術分野】
【０００１】
本発明は、車載ネットワークに使用されるツイストペア線を備えるハーネスに関する。
【背景技術】
【０００２】
現在、車輌の高性能化、高機能化に伴って、車輌には種々の車載機器を制御するためのＥＣＵ（Electronic Control Unit）が複数搭載されている。各ＥＣＵ間の通信には、通信信号へのノイズの重畳を低減するために、２本の電線を撚り合わせたツイストペア線の端部にコネクタを備えるハーネスが使用されている。このようなハーネスでは、コネクタに接続するためにツイストペア線の撚り戻しが必要である。しかし、ツイストペア線では、撚り戻し部分の２本の電線の離隔寸法が特性インピーダンスに影響を及ぼす。具体的には、離隔寸法が長ければ長いほど、特性インピーダンスが高い。このため、ツイストペア線では、撚り戻し部分の特性インピーダンスが他の部分の特性インピーダンスと整合されなくなる。この不整合が大きすぎると、高速の電気信号の伝送に信号の反射等が起きるという問題がある。この問題は電線が細い場合に顕著である。
【０００３】
特許文献１には、ツイストペア線の撚り戻し部分を保持する保持部材を備えるハーネスが記載されている。この保持部材は、コネクタの外部に露出する部分において、２本の電線を近接させて直線状に保持することにより撚り戻し部分の特性インピーダンスを低くすることができ、ツイストペア線の特性インピーダンス不整合を抑えることができる。
【先行技術文献】
【特許文献】
【０００４】
【特許文献１】特開２００４−０７１４０４号公報
【発明の概要】
【発明が解決しようとする課題】
【０００５】
しかしながら、特許文献１のハーネスでは、保持部材がコネクタの外部のみに設けられるため、コネクタの内部では、電線間の離隔寸法が大きく、特性インピーダンス不整合を十分に抑えることが難しい。その結果、通信品質の向上に影響を及ぼす虞がある。
【０００６】
本発明は斯かる事情に鑑みてなされたものであり、その目的とするところは、コネクタの内部を含めてツイストペア線の特性インピーダンスの低減を図るハーネスを提供することにある。
【課題を解決するための手段】
【０００７】
本発明に係るハーネスは、２本の電線が撚り合わされたツイストペア線と、該ツイストペア線の端部に接続されたコネクタとを備え、前記ツイストペア線は、前記２本の電線の端部を撚り戻し、夫々の端部に取り付けた端子を前記コネクタに設けた端子収容室に固定してあるハーネスにおいて、前記ツイストペア線の撚り戻し部分を、前記２本の電線を近接させて保持する保持部材を備え、該保持部材は、前記端子収容室に嵌め込まれ、該端子収容室内の２本の電線を互いに近接する位置に拘束する拘束部を備えることを特徴とする。
【０００８】
本発明にあっては、保持部材は、端子収容室に嵌め込まれ、２本の電線同士を互いに近接する位置に拘束する拘束部を備える。これにより、端子収容室内の２本の電線同士の離隔寸法を短縮させることができる。
【０００９】
本発明に係るハーネスは、前記端子は、仕切壁を介して相隣する２つの端子収容室に各別に固定してあり、前記拘束部は、２つの端子収容室内の電線を前記仕切壁との間での挟持により拘束することを特徴とする。
【００１０】
本発明にあっては、拘束部は、２つの端子収容室内の電線を仕切壁との間での挟持により拘束する。これにより、２つの端子収容室内の２本の電線は、仕切壁の壁厚分を隔てて近接保持される。
【００１１】
本発明に係るハーネスは、前記保持部材は、前記２つの端子収容室夫々に嵌め込まれ、夫々の端子収容室内の電線を前記仕切壁の一端側に拘束する第２拘束部を備えることを特徴とする。
【００１２】
本発明にあっては、保持部材は第２拘束部を備え、第２拘束部夫々は２つの収容室夫々に嵌め込まれ、夫々の端子収容室内の電線を前記仕切壁の一端側に拘束する。これにより、端子収容室内の２本の電線は仕切壁の一端側に寄せて近接保持される。
【００１３】
本発明に係るハーネスは、前記拘束部は、前記２つの端子収容室内で前記仕切壁に対向する２つの側板であることを特徴とする。
【００１４】
本発明にあっては、拘束部は２つの側板である。端子収容室内の２本の電線は２つの側板の対向面に当接して拘束される。
【００１５】
本発明に係るハーネスは、前記２つの側板は先細りになっていることを特徴とする。
【００１６】
本発明にあっては、側板の先細り形状により、側板を端子収容室に容易に挿し込むことができる。
【００１７】
本発明に係るハーネスは、前記第２拘束部は、前記２つの側板の対向面から内向きに延設されていることを特徴とする。
【００１８】
本発明にあっては、端子収容室内の２本の電線は、２つの側板の対向面から内向きに延設された第２拘束部に当接して拘束される。
【００１９】
本発明に係るハーネスは、前記第２拘束部は先端が基端より薄いことを特徴とする。
【００２０】
本発明にあっては、第２拘束部の薄い先端により、第２拘束部を端子収容室に容易に挿し込むことができる。
【００２１】
本発明に係るハーネスは、前記保持部材は、前記２本の電線の夫々に接続された端子を一端側に並べて収納する内部空間、及び前記２本の電線を前記内部空間の他端側から導出させる導出孔を備え、前記拘束部は、前記２本の電線を囲んで形成され、前記内部空間の他端側を前記導出孔に近いほど狭くするようにしてあることを特徴とする。
【００２２】
本発明にあっては、保持部材は内部空間を備える。内部空間の一端側に２本の電線の夫々に接続された端子を並べて収納する。また、保持部材は前記２本の電線を前記内部空間の他端側から導出させる導出孔を備える。拘束部は、２本の電線を囲んで形成され、内部空間の他端側を導出孔に近いほど狭くさせる。これにより、端子収容室内の２本の電線同士の離隔寸法を短縮させることができる。
【００２３】
本発明に係るハーネスは、前記保持部材は、弾性材料製であることを特徴とする。
【００２４】
本発明にあっては、弾性材料製であるため、保持部材を電線の端部に容易に取り付けることができる。
【発明の効果】
【００２５】
本発明に係るハーネスは、コネクタの内部に収容されている２本の電線の端部同士の離隔寸法を短縮させて、ツイストペア線の撚り戻し部分の特性インピーダンスの低減を図ることができる。
【図面の簡単な説明】
【００２６】
【図１】本発明の実施の形態１に係るハーネスを使用する通信システムを模式的に示す概念図である。
【図２】本発明の実施の形態１に係るハーネスの端部の斜視図である。
【図３】図２中のＩＩＩ−ＩＩＩ線による断面図である。
【図４】本発明の実施の形態１に係るハーネスが備える保持部材の斜視図である。
【図５】保持部材の三面図である。
【図６】保持部材の取り付け状態を示す模式図である。
【図７】保持部材を取り付けていない場合の説明図である。
【図８】保持部材を取り付けている場合の説明図である。
【図９】本発明の実施の形態２に係るハーネスの端部の斜視図である。
【図１０】保持部材の外観斜視図である。
【図１１】図１０中のＸＩ−ＸＩ線による断面図である。
【発明を実施するための形態】
【００２７】
（実施の形態１）
図１は本発明の実施の形態１に係るハーネス１を使用する通信システムを模式的に示す概念図である。図１に示すように、通信システムは、ＥＣＵ８１とＥＣＵ８２との間をハーネス１により接続して構成されている。ＥＣＵ８１は、送信部９１ａと、受信部９１ｂと、送信部９１ａ及び受信部９１ｂを外部接続するためのコネクタ９１ｃとを備えている。ＥＣＵ８２も同様に、送信部９２ａと、受信部９２ｂと、送信部９２ａ及び受信部９２ｂを外部接続するためのコネクタ９２ｃとを備えている。ハーネス１は、ツイストペア線２と、該ツイストペア線２の両端部に設けた接続用のコネクタ３と、ツイストペア線２の両端部に取り付けた保持部材４とを備えている。ハーネス１によるＥＣＵ８１とＥＣＵ８２との接続は、ツイストペア線２の両端のコネクタ３をコネクタ９１ｃ，９２ｃに夫々接続して実現されている。送信部９１ａ，９２ａ夫々は、イーサネット（登録商標）又はＭＯＳＴ（Media Oriented Systems Transport）等の通信プロトコルに従った信号を、ハーネス１を介して受信部９２ｂ，９１ｂ夫々に送信する。なお、図１では、ＥＣＵ８１とＥＣＵ８２とを１本のハーネス１で接続してあるが、両端のコネクタ３により相互に連結した複数本のハーネス１によりＥＣＵ８１とＥＣＵ８２とを接続してもよい。
【００２８】
図２は、本発明の実施の形態１に係るハーネス１の端部の斜視図である。図２に示すように、ツイストペア線２は、絶縁被覆付の２本の電線２１，２１を螺旋状に撚り合わせて構成されている。このツイストペア線２では、外部から受ける電磁波によって夫々の電線２１，２１内に発生するノイズ電流が逆向きとなって打ち消し合うため、電磁波の影響を軽微に抑えて信号を伝送することができる。
【００２９】
コネクタ３は、直方体形状を有する樹脂製のブロックであり、複数の端子収容室３２を備えている。相隣する２つの端子収容室３２は、仕切壁３３により仕切られている。なお、図２に示すコネクタ３は、２段×５列に並ぶ１０個の端子収容室３２を備えているが、端子収容室３２の数は、必要に応じて任意設定してもよい。
【００３０】
ツイストペア線２は、コネクタ３への接続側の端部に、２本の電線２１，２１を適長に亘って撚り戻して構成された撚り戻し部分Ｕを備えている。
【００３１】
図３は図２中のＩＩＩ−ＩＩＩ線による断面図であり、ツイストペア線２とコネクタ３との接続部分が示されている。端子収容室３２は、相対向する２面間を連通するように設けられたほぼ正方形断面の空間である。端子収容室３２の内部には、後述する端子５１を係止するための係止突起３２ｃが設けられている。
【００３２】
電線２１，２１は、端末部分の絶縁被覆を適長に亘って剥がして芯線を露出し、各別の端子５１，５１に接続されている。端子５１は、例えば金属製のソケット端子であり、端子収容室３２に挿し込むことが可能な寸法を有している。端子５１は、電線２１の端末部分を固定する固定部５１ａ、電線２１の芯線を圧着して電気的に接続する圧着部５１ｂ、及びコネクタ３の係止突起３２ｃと係止する係止部５１ｃを備えている。端子５１は、端子収容室３２の一面の開口から挿し込まれ、係止部５１ｃを係止突起３２ｃに係止することにより、端子収容室３２に収容されている。
【００３３】
図４は本発明の実施の形態１に係るハーネス１が備える保持部材４の斜視図、図５は保持部材４の三面図である。保持部材４は、ツイストペア線２の撚り戻し部分Ｕを近接させて保持するものである。なお、以下の説明においては、図４中に矢符により示す上下、左右及び前後を使用する。保持部材４は、例えばゴム等の弾性材料製であり、第１保持部４１と、該第１保持部４１の前側に連設された第２保持部４２とを備えている。
【００３４】
第１保持部４１は、直方体状をなし、相隣する２つの端子収容室３２の幅２つ分よりやや大きい左右方向の寸法と、端子収容室３２の高さよりやや高い上下方向の寸法とを有している。
【００３５】
第１保持部４１には、２本の電線２１，２１を嵌め込み保持するための２つの保持孔４１１，４１１が形成されている。保持孔４１１，４１１夫々は、電線２１，２１夫々とほぼ同径であり、第１保持部４１を前後方向に貫通する円形断面の貫通孔である。また、保持孔４１１，４１１は、断面が外接するように左右方向に並べて配置され、夫々に嵌め込まれた電線２１，２１が第１保持部４１の左右方向中央部で近接保持されるように設けられている。
【００３６】
第１保持部４１の上面には、第１保持部４１の左右方向のほぼ中央部において、前端から後端まで延び、保持孔４１１，４１１に連通する溝４１３が形成されている。溝４１３は、電線２１，２１夫々を保持孔４１１，４１１に嵌め込むためのものであり、図４に示す如く電線２１の線径とほぼ同じ左右方向の寸法を有している。
【００３７】
第２保持部４２は、一対の側板４２１，４２１を備えている。側板４２１，４２１夫々は、第１保持部４１の左右両側で夫々の側面と面一をなして延出された基部４２１ａと、基部４２１ａに連設された先端部４２１ｂとを備えている。
【００３８】
基部４２１ａ、４２１ａ夫々は、直方体状をなし、端子収容室３２の高さとほぼ同じ上下方向の寸法と、端子収容室３２の幅から電線２１の直径を引いた値とほぼ同じ左右方向の寸法とを有している。
【００３９】
先端部４２１ｂ，４２１ｂは、夫々の同側の基部４２１ａの前端面を底面とする四角錐状をなす。先端部４２１ｂ、４２１ｂ夫々は、先細りになっているため、第２保持部４２を後述の如く端子収容室３２に挿し込む際にガイド部として機能する。
【００４０】
また、一対の側板４２１，４２１には、夫々との対向面から内向きに延びる電線支持部４２２，４２２が設けられている。電線支持部４２２，４２２夫々の一面は、相隣する端子収容室３２，３２間の仕切壁３３の幅とほぼ同じ、又は仕切壁３３の幅よりやや広い間隔を隔てて対向している。
【００４１】
電線支持部４２２，４２２は、保持孔４１１，４１１に連続するように円弧形に成形された上面を備え、側板４２１の基部４２１ａとほぼ同じ前後方向寸法を有している。電線支持部４２２，４２２の前端下部には、先端部４２２ａ，４２２ａが連設されている。先端部４２２ａ，４２２ａ夫々は、薄手の板状をなし、側板４２１の先端部４２１ｂの前後方向の寸法より短い前後方向の寸法を有している。
【００４２】
以上の如く構成された保持部材４の取り付け手順について説明する。図６は、保持部材４の取り付け状態を示す模式図である。なお図６では、コネクタ３の上部を外し、端子収容室３２の内部を示してある。
【００４３】
保持部材４は、前述の如くツイストペア線２をコネクタ３に接続した後、コネクタ３の外側で、相隣する端子収容室３２，３２から突出する撚り戻し部分Ｕに対して位置決めする。この位置決めに際し、第２保持部４２を端子収納室３２，３２の開口に向けておく。次に、撚り戻し部分Ｕの２本の電線２１，２１を溝４１３に通して第１保持部４１の保持孔４１１，４１１に嵌め込み、該保持孔４１１，４１１と、夫々に連続する第２保持部４２の電線支持部４２２，４２２とに保持させる。保持部材４は、前述の如く弾性材料製であるため、２本の電線２１，２１を保持孔４１１，４１１に容易に嵌め込むことができ、保持孔４１１，４１１は、嵌め込まれた電線２１，２１を確実に保持することができる。
【００４４】
次に、保持孔４１１，４１１に保持した撚り戻し部分Ｕに沿って保持部材４を滑らせ、該保持部材４の第２保持部４２を端子収納室３２，３２に挿し込む。第２保持部４２は、一対の側板４２１，４２１を備えており、端子収納室３２には、側板４２１，４２１が、各側板４２１，４２１から内向きに延びる電線支持部４２２，４２２と共に挿し込まれる。前述の如く、側板４２１，４２１は先細りとなった先端部４２１ｂ，４２１ｂを有し、電線支持部４２２，４２２は薄手の先端部４２２ａ，４２２ａを有しており、第２保持部４２は、先端部４２１ｂ，４２２ａをガイドとして容易に挿し込むことができる。また、第１保持部４１は端子収容室３２よりも大きい上下方向寸法を有しているため、第２保持部４２の挿し込みは、第１保持部４１の端面が端子収容室３２の開口部周縁に当たる位置で止まり、過度の挿し込みで電線２１，２１を損傷することを防止できる。
【００４５】
図６に示す如く、一対の側板４２１，４２１は、夫々が挿し込まれた端子収容室３２，３２の内部で仕切壁３３と間隔を隔てて対向し、２本の電線２１，２１は、仕切壁３３と側板４２１，４２１との間に挟持される。また電線支持部４２２，４２２は、夫々が挿し込まれた端子収容室３２，３２の内部で仕切壁３３の一端側に夫々連続する内壁に対向し、２本の電線２１，２１は、夫々の内壁と電線支持部４２２，４２２との間にも挟持される。なお保持部材４は、前述の如く弾性材料製であり、側板４２１，４２１及び電線支持部４２２，４２２も弾性を有するから、挟持による電線２１，２１の損傷を防止できる。
【００４６】
このように、端子収容室３２，３２の内部の電線２１，２１は、第２保持部が備える側板４２１，４２１の作用により、端子収容室３２，３２間の仕切壁３３を介して近接する位置に拘束され、更に、第２保持部４２が備える電線支持部４２２，４２２の作用により、仕切壁３３の一端側に寄せ、相互に近接した位置で拘束される。またこの拘束は、第２保持部４２の挿し込み長さ範囲内で実現されるから、電線２１，２１は、端子５１，５１との接続部の近傍に至るまで相互に近接した位置で保持される。
【００４７】
また端子収容室３２，３２の外側に延びる電線２１，２１は、第１保持部４１，４１の保持孔４１１，４１１への嵌め込みにより相互に近接して保持されている。このように実施形態１のハーネス１においては、コネクタ３に接続されるツイストペア線２の撚り戻し部分Ｕの２本の電線２１，２１を、コネクタ３の外部だけでなく、内部を含めて近接保持することができ、撚り戻し部分Ｕと他部との間の特性インピーダンス不整合を十分に抑え、通信品質の向上を達成することができる。
【００４８】
なお、図６に示すように、第１保持部４１の外面には、テープ５が巻かれている。これにより、第１保持部４１に保持されている電線２１，２１の抜けを防止することができる。なお、テープの代わりに、結束バンド等の留め具を使ってもよい。
【００４９】
図７は保持部材４を取り付けていない場合の説明図、図８は保持部材４を取り付けている場合の説明図である。図８に示すように、保持部材４を取り付けている場合は、電線２１，２１夫々が相隣する２つの端子収容室３２の開口の相隣する隅部から延出されるため、端子収容室３２の内部の電線２１，２１同士の離隔寸法が図７に示すように保持部材４を取り付けていない場合の離隔寸法より小さい。これにより、撚り戻し部分Ｕの特性インピーダンスを低く抑えることができる。
【００５０】
以上、実施の形態１では、端子収容室３２の断面形状はほぼ正方形であるが、これに限らず、長方形等他の形状であってもよい。また、実施の形態１では、端子５１はソケット端子であるが、ピン端子であってもよい。さらに、実施の形態１では、保持部材４を構成する各部分が一体的に形成されてもよいし、個別に形成されてもよい。
【００５１】
実施の形態１では、第１保持部４１は直方体状をなしているが、第１保持部は直方体状に限らず、円柱状等の適宜の形状とすることができる。実施の形態１では、保持孔４１１，４１１夫々は、断面が円形をなしているが、保持孔４１１，４１１の断面形状は、円形に限らず、電線２１，２１を拘束することが可能な任意形状であってもよい。例えば、保持孔４１１，４１１の断面形状は、幅が電線２１，２１の直径とほぼ同じ正方形であってもよい。また、実施の形態１では、保持孔４１１，４１１は、断面が外接するように配設されているが、これに限らず、一部を重ねて並設してもよい。さらに、保持孔４１１，４１１は、断面が長円形又は長方形をなす１つ貫通孔として形成されてもよい。
【００５２】
また、実施の形態１では、電線支持部４２２は、薄手の板状をなす先端部４２２ａを備えているが、先端部４２２ａの形状はこれに限らず、先端側へ向かって厚さが薄くなる構成であってもよい。例えば、先端部４２２ａの下側面にテーパ面が形成されてもよい。
【００５３】
また、実施の形態１では、一対の側板４２１，４２１夫々は左右対称に形成されているが、２本の電線２１，２１夫々を拘束できれば、非対称に形成されてもよい。同様に、実施の形態１では、一対の電線支持部４２，４２夫々は左右対称に形成されているが、２本の電線２１，２１夫々を拘束できれば、非対称に形成されてもよい。
【００５４】
さらに、実施の形態１では、左右方向に相隣する２つの端子収容室３２，３２に一対の側板４２１，４２１が嵌め込まれる形態について説明したが、一対の側板４２１，４２１は上下方向に相隣する２つの端子収容室３２，３２に嵌め込まれてもよい。また、実施の形態１では、端子収容室３２において、第２保持部４２の電線保持部４２２が電線２１の下部に位置する形態について説明したが、必要に応じて、第２保持部４２の電線保持部４２２は電線２１の上部に位置してもよい。
【００５５】
（実施の形態２）
実施の形態２の説明において、実施の形態１と同様の構成については、実施の形態１を参照するものとし、その説明を省略する。
【００５６】
図９は、本発明の実施の形態２に係るハーネス１０の端部の斜視図である。ハーネス１０は、ツイストペア線２と、該ツイストペア線２の一端部に接続されたコネクタ６と、ツイストペア線２の一端部に取り付けられた保持部材７とを備えている。また、コネクタ６及び保持部材７は、ツイストペア線２の図示しない他端部にも設けられている。
【００５７】
コネクタ６は、端子収容室６２を備えている。端子収容室６２は２段×２列に並べて４つ設けられているが、端子収容室６２の数は、必要に応じて任意に設定すればよい。端子収容室６２は、相対向する２面間を連通するように設けられた長方形断面の空間である。
【００５８】
図１０は、保持部材７の外観斜視図、図１１は図１０中のＸＩ−ＸＩ線による断面図である。なお、図１１には、ツイストペア線２の端部に取り付けている状態が示されている。保持部材７は、例えばゴム等の弾性材料製であり、割り線７ｃにより２つ割可能なケース７０，７０を備えている。保持部材７は、中空の直方体状をなし、全体が端子収容室６２に嵌合することが可能である。保持部材７の長手方向の一端側の端面７ａはコネクタ６の端子収容室６２の一面の開口と同じ形状を有している。保持部材７の他端側には、四方を斜面に切欠いて、傾斜部７４を設け、一端側の端面７ａより縮小した端面７ｂが形成されている。このように、保持部材７の他端側の内部空間は、傾斜部７４に囲まれるため、一端側の内部空間よりも狭く、かつ端面７ｂに近くなるほど狭くなっている。
【００５９】
図１１に示すように、ケース７０，７０夫々には、一端側内面のほぼ中央部に長手方向に延びる仕切壁７１が設けられている。保持部材７の一端側の内部空間は、仕切壁７１により２つの端子収納部７２，７２に仕切られており、これらの夫々に２本の電線２１，２１の端末部分に圧着固定した端子５１，５１が並べて収納されている。仕切壁７１の延設長さは、収納される端子５１の長さに基づいて設定すればよく、端子５１の長さよりやや長く設定することが好ましい。
【００６０】
保持部材７の端面７ａには、２つの端子収納部７２，７２夫々と連通され、他のコネクタの端子と接続するための開口が開設されている。また、端面７ｂには、２本の電線２１，２１を内部空間から導出させる一対の導出孔７３，７３が形成されている。導出孔７３，７３夫々は電線２１，２１とほぼ同径の円形断面の貫通孔であり、断面が外接するように、左右方向に並べて設けられている。
【００６１】
コネクタ６及び保持部材７をツイストペア線２の端部に取り付ける際に、まず、例えば、２本の電線２１，２１の端末部分に圧着固定した端子５１，５１夫々を一方のケース７０の仕切壁７１の両側に固定して、他方のケース７０を割り線７ｃを介して合わせて固定することにより、保持部材７をツイストペア線２の端部に取り付ける。傾斜部７４は、保持部材７の内部空間に位置する電線２１，２１を互いに近接する位置に拘束する。なお保持部材７は、前述の如く弾性材料製であり、傾斜部７４も弾性を有するから、拘束による電線２１，２１の損傷を防止できる。
【００６２】
次に、端子５１が収納された保持部材７を、端面７ａの側からコネクタ６の端子収容室６２に挿し込んで嵌合させることにより、コネクタ６をツイストペア線２の端部に取り付ける。なお保持部材７は、前述の如く弾性材料製であるため、端子収容室６２に容易に挿し込むことができる。
【００６３】
これにより、端子収容室６２の内部の電線２１，２１は互いに近接する位置に拘束されるため、当該電線２１，２１同士の離隔寸法が短く抑えられる。従って、実施の形態２に係るハーネス１０では、撚り戻し部分Ｕの特性インピーダンスを低く抑えることができる。
【００６４】
以上、実施の形態２では、端子収容室６２の断面形状は長方形であるが、これに限らず、正方形等他の形状であってもよい。また、実施の形態２では、導出孔７３，７３夫々は、円形断面を有しているが、導出孔７３，７３の断面形状は、円形に限らず、電線２１，２１を拘束することが可能な任意形状であってもよい。例えは、導出孔７３，７３夫々の断面形状は、幅が電線２１，２１の直径とほぼ同じ正方形であってもよい。また、実施の形態２では、導出孔７３，７３は、断面が外接するように並設されているが、これに限らず、一部を重ねて並設してもよい。さらに、導出孔７３，７３は、断面が長円形又は長方形をなす１つ貫通孔として形成されてもよい。
【００６５】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００６６】
１  ハーネス
２  ツイストペア線
２１  電線
３  コネクタ
３２  端子収容室
３３  仕切壁
４  保持部材
４１  第１保持部
４２  第２保持部
４１１  保持孔
４１３  溝
４２１  側板（拘束部）
４２２  電線支持部（第２拘束部）
５  テープ
６  コネクタ
６２  端子収容室
７  保持部材
７０  ケース
７１  仕切壁
７２  端子収納部
７３  導出孔
７４  傾斜部（拘束部）
【図１】
2015216015.tif 000003
【図２】
2015216015.tif 000004
【図３】
2015216015.tif 000005
【図４】
2015216015.tif 000006
【図５】
2015216015.tif 000007
【図６】
2015216015.tif 000008
【図７】
2015216015.tif 000009
【図８】
2015216015.tif 000010
【図９】
2015216015.tif 000011
【図１０】
2015216015.tif 000012
【図１１】
2015216015.tif 000013